(57)【特許請求の範囲】
【請求項１】
眼鏡レンズの光学性能を示す値を、前記値の分布によって示す分布図であって、少なくとも、非点収差分布、コマ収差分布、度数・加入度分布、歪分布のいずれかを示す分布図に対応するグラフデータを含む第１情報を入力する入力手段と、
前記分布図を表示する画面を有する表示手段と、
前記光学性能を示す値が等しい領域の形状を前記画面上で指定する指定手段と、
前記指定された形状の領域に応じて前記グラフデータを変更する変更手段と、
前記変更された前記グラフデータを含む前記第１情報を受注装置に送信する送信手段と、
を有する眼鏡レンズ発注端末。
【請求項２】
前記指定手段は、前記領域の値を設定する設定手段をさらに有する請求項１に記載の眼鏡レンズ発注端末。
【請求項３】
前記第１情報は、前記グラフデータの設計上の許容誤差を含む請求項１または請求項２に記載の眼鏡レンズ発注端末。
【請求項４】
前記グラフデータのサンプルデータを記憶するサンプル記憶手段をさらに有する請求項１から３いずれか１の項に記載の眼鏡レンズ発注端末。
【請求項５】
眼鏡レンズの設計限界の情報を記憶する設計限界記憶手段をさらに有する請求項１から４いずれか１の項に記載の眼鏡レンズ発注端末。
【請求項６】
前記変更手段は、眼鏡レンズの設計限界内で前記グラフデータを変更する請求項５に記載の眼鏡レンズ発注端末。
【請求項７】
前記第１情報が眼鏡レンズの設計限界を超える場合に、警告を発する警告手段をさらに有する請求項５に記載の眼鏡レンズ発注端末。
【請求項８】
前記グラフデータの設計上の優先度を入力する優先度入力手段をさらに有する請求項１から７いずれか１の項に記載の眼鏡レンズ発注端末。
【請求項９】
設計された眼鏡レンズの光学性能を表わす設計グラフに対応する設計グラフデータを受信する受信手段と、
前記設計グラフを表示する設計グラフ表示手段と、
前記表示された設計グラフの可否を入力する可否入力手段と、
設計元に前記設計グラフの可否を応答する応答手段と、
をさらに有する請求項１から８いずれか１の項に記載の眼鏡レンズ発注端末。
【請求項１０】
請求項１から９いずれか１の項に記載の眼鏡レンズ発注端末と、
前記眼鏡レンズ発注端末からの前記第１情報を受信する受信手段と、前記受信した第１情報に基づいて眼鏡レンズを設計する設計手段と、を有する眼鏡レンズ受注装置と、
を備える眼鏡レンズ発受注システム。
【請求項１１】
受注装置と通信する発注端末が備えるコンピュータに、
眼鏡レンズの光学性能を示す値を、前記値の分布によって示す分布図であって、少なくとも、非点収差分布、コマ収差分布、度数・加入度分布、歪分布のいずれかを示す分布図に対応するグラフデータを含む第１情報を前記発注端末に入力する動作と、
前記第１情報に基づいて前記分布図を前記発注端末の画面に表示する動作と、
前記光学性能を示す値が等しい領域の形状を前記画面上で指定する動作と、
前記指定された形状の領域に応じて前記グラフデータを前記発注端末において変更する動作と、
前記変更された前記グラフデータを含む前記第１情報を前記受注装置に送信する動作と、
を実行させるためのプログラム。
【請求項１２】
眼鏡レンズの光学性能を示す値を、前記値の分布によって示す分布図であって、少なくとも、非点収差分布、コマ収差分布、度数・加入度分布、歪分布のいずれかを示す分布図に対応するグラフデータを含む第１情報に基づいて発注端末の画面に表示される前記分布図について、前記光学性能を示す値が等しい領域の形状が前記画面上で指定され、前記指定された形状の領域に応じて変更された前記グラフデータを含む前記第１情報を前記発注端末から受信する受信部と、
前記受信した第１情報に基づいて眼鏡レンズを設計する設計部と、
を有する眼鏡レンズ受注装置。
【請求項１３】
設計された眼鏡レンズの光学性能を表わす設計グラフに対応する設計グラフデータを前記発注端末に送信する送信部をさらに有する請求項１２に記載の眼鏡レンズ受注装置。
【請求項１４】
発注端末と通信する受注装置が備えるコンピュータに、
眼鏡レンズの光学性能を示す値を、前記値の分布によって示す分布図であって、少なくとも、非点収差分布、コマ収差分布、度数・加入度分布、歪分布のいずれかを示す分布図に対応するグラフデータを含む第１情報に基づいて前記発注端末の画面に表示される前記分布図について、前記光学性能を示す値が等しい領域の形状が前記画面上で指定され、前記指定された形状の領域に応じて変更された前記グラフデータを含む前記第１情報を前記発注端末から受信する動作と、
前記受信した第１情報に基づいて前記受注装置において眼鏡レンズを設計する動作と、
を実行させるためのプログラム。
【発明の詳細な説明】
【技術分野】
【０００１】
本発明は、眼鏡レンズ発注端末、眼鏡レンズ受注装置、眼鏡レンズ受発注システム及びプログラムに関する。
本願は、２００８年７月１４日に出願された特願２００８−１８２９２４号に基づき優先権を主張し、その内容をここに援用する。
【背景技術】
【０００２】
従来の眼鏡レンズ受発注システムでは、販売店等に設置された眼鏡レンズ発注端末に眼鏡レンズ使用者のレンズ処方データ、使用目的及びレンズ形状等を入力し、この入力されたデータに基づいて眼鏡レンズを設計していた（例えば、特許文献１参照）。
【先行技術文献】
【特許文献】
【０００３】
【特許文献１】特開２００８−５９５４８号公報
【発明の概要】
【発明が解決しようとする課題】
【０００４】
しかしながら、特許文献１に記載の技術では、入力された使用目的やレンズの形状等に応じて眼鏡レンズの光学特性等が決定されるため、眼鏡レンズ発注者が眼鏡レンズの詳細な性能を要求することは困難である。【０００５】
本発明の態様における目的は、眼鏡レンズ発注者が光学性能を表わすデータを任意に変更でき、発注者からの詳細な性能要求に応じた眼鏡レンズを発注可能な眼鏡レンズ発注端末、眼鏡レンズ受発注システム及びプログラムを提供することにある。
【課題を解決するための手段】
【０００６】
本発明の第１の態様は、眼鏡レンズの光学性能を示す値を、前記値の分布によって示す分布図であって、少なくとも、非点収差分布、コマ収差分布、度数・加入度分布、歪分布のいずれかを示す分布図に対応するグラフデータを含む第１情報を入力する入力手段と、前記分布図を表示する画面を有する表示手段と、前記光学性能を示す値が等しい領域の形状を前記画面上で指定する指定手段と、前記指定された形状の領域に応じて前記グラフデータを変更する変更手段と、前記変更された前記グラフデータを含む前記第１情報を受注装置に送信する送信手段と、を有する眼鏡レンズ発注端末を提供する。
【０００７】
本発明の第２の態様は、上記の眼鏡レンズ発注端末と、前記眼鏡レンズ発注端末からの前記第１情報を受信する受信手段と、前記受信した第１情報に基づいて眼鏡レンズを設計する設計手段と、を有する眼鏡レンズ受注装置を提供する。【０００８】
本発明の第３の態様は、受注装置と通信する発注端末が備えるコンピュータに、眼鏡レンズの光学性能を示す値を、前記値の分布によって示す分布図であって、少なくとも、非点収差分布、コマ収差分布、度数・加入度分布、歪分布のいずれかを示す分布図に対応するグラフデータを含む第１情報を前記発注端末に入力する動作と、前記第１情報に基づいて前記分布図を前記発注端末の画面に表示する動作と、前記光学性能を示す値が等しい領域の形状を前記画面上で指定する動作と、前記指定された形状の領域に応じて前記グラフデータを前記発注端末において変更する動作と、前記変更された前記グラフデータを含む前記第１情報を前記受注装置に送信する動作と、を実行させるためのプログラムを提供する。
【０００９】
本発明の第４の態様は、眼鏡レンズの光学性能を示す値を、前記値の分布によって示す分布図であって、少なくとも、非点収差分布、コマ収差分布、度数・加入度分布、歪分布のいずれかを示す分布図に対応するグラフデータを含む第１情報に基づいて発注端末の画面に表示される前記分布図について、前記光学性能を示す値が等しい領域の形状が前記画面上で指定され、前記指定された形状の領域に応じて変更された前記グラフデータを含む前記第１情報を前記発注端末から受信する受信部と、前記受信した第１情報に基づいて眼鏡レンズを設計する設計部と、を有する眼鏡レンズ受注装置を提供する。
【００１０】
本発明の第５の態様は、発注端末と通信する受注装置が備えるコンピュータに、眼鏡レンズの光学性能を示す値を、前記値の分布によって示す分布図であって、少なくとも、非点収差分布、コマ収差分布、度数・加入度分布、歪分布のいずれかを示す分布図に対応するグラフデータを含む第１情報に基づいて前記発注端末の画面に表示される前記分布図について、前記光学性能を示す値が等しい領域の形状が前記画面上で指定され、前記指定された形状の領域に応じて変更された前記グラフデータを含む前記第１情報を前記発注端末から受信する動作と、前記受信した第１情報に基づいて前記受注装置において眼鏡レンズを設計する動作と、を実行させるためのプログラムを提供する。
【発明の効果】
【００１１】
本発明の態様によれば、光学性能を表わすグラフを編集する編集手段を有しているため、眼鏡レンズ発注者は光学性能を表わすグラフデータを任意に変更することができる。これにより、眼鏡レンズ発注者からの詳細な性能要求に応じた眼鏡レンズを発注することができる。
【図面の簡単な説明】
【００１２】
【図１】第１の実施形態による眼鏡レンズ受発注システムの構成を示す概略図である。
【図２】本実施形態における眼鏡レンズ発注端末の構成を示すブロック図である。
【図３】本実施形態における眼鏡レンズ受注装置の構成を示すブロック図である。
【図４】本実施形態における受発注処理の手順を示すシーケンス図である。
【図５】本実施形態における基礎情報入力画面の一例を示す概略図である。
【図６】本実施形態における非点収差分布図入力画面の一例を示す概略図である。
【図７】本実施形態における非点収差分布図のサンプルの一例を示す概略図である。
【図８】サンプル読み出し後の非点収差分布図入力画面の一例を示す概略図である。
【図９】サンプル編集後の非点収差分布図入力画面の一例を示す概略図である。
【図１０】本実施形態における度数・加入分布図入力画面の一例を示す概略図である。
【図１１】本実施形態における許容誤差量の一例を示す概略図である。
【図１２】本実施形態における非点収差分布図のグラフデータのデータ構成例を示す概略図である。
【図１３】本実施形態における眼鏡レンズ設計処理の手順を示すフローチャートである。
【図１４】第２の実施形態における受発注処理の手順を示すシーケンス図である。
【発明を実施するための形態】
【００１３】
以下、図面を参照しながら本発明の実施形態について詳しく説明する。
【００１４】
［第１の実施形態］
図１は、本発明の実施形態における眼鏡レンズ受発注システムの構成を示す概略図である。
眼鏡レンズ受発注システムは、眼鏡レンズを発注する複数の発注端末（眼鏡レンズ発注端末）１と、眼鏡レンズを受注する受注装置（眼鏡レンズ受注装置）２と、を含んで構成される。発注端末１と受注装置２は、ネットワークを介して通信可能に接続されている。このネットワークは、例えば、インターネット、イントラネット又はＬＡＮ（Ｌｏｃａｌ  Ａｒｅａ  Ｎｅｔｗｏｒｋ）などの通信回線網を含む。
【００１５】
図２は、本実施形態における発注端末１の構成を示すブロック図である。
発注端末１は、例えば眼鏡販売店などに設置されるパーソナルコンピュータである。発注端末１は、制御部１１と、記憶部１２と、通信部１３と、表示部１４と、入力部１５と、を含む。
制御部１１は、発注端末１を統括して制御する。通信部１３は、ネットワークを介して受注装置２と通信を行う。表示部１４は、例えばＣＲＴ等や液晶ディスプレイ等の表示装置であり、発注する眼鏡レンズの情報である発注情報（眼鏡レンズ発注情報）を入力するための発注画面（眼鏡レンズ発注画面）等を表示する。入力部１５は、例えばマウスやキーボードなどを含む。例えば、入力部１５を介して、発注画面の内容に応じた発注情報が入力される。記憶部１２は、後述する分布図のサンプルデータ及び眼鏡レンズの設計限界の情報などを読み出し可能に記憶する。なお、本実施形態では発注端末１をパーソナルコンピュータとしたが、これに限定されず、例えば携帯電話機、ＰＤＡ（Ｐｅｒｓｏｎａｌ  Ｄｉｇｉｔａｌ  Ａｓｓｉｓｔａｎｔｓ）などの他の端末であってもよい。
【００１６】
図３は、本実施形態における受注装置２の構成を示すブロック図である。
受注装置２は、レンズメーカなどに設置されるサーバ装置などである。受注装置２は、制御部２１と、記憶部２２と、通信部２３と、出力部２４と、を含んで構成される。
制御部２１は、受注装置２を統括して制御する。通信部２３は、ネットワークを介して発注端末１と通信を行う。記憶部２２は、眼鏡レンズ設計のための各種データを読み出し可能に記憶する。出力部２４は、例えばＣＲＴ等や液晶ディスプレイ等の表示装置であり、眼鏡レンズの設計結果などを表示する。なお、出力部２４は、眼鏡レンズの設計結果を印刷して出力するプリンタであってもよい。
【００１７】
次に、眼鏡レンズ受発注システムにおける受発注処理の処理手順について説明する。
図４は、本実施形態における受発注処理の手順を示すシーケンス図である。
この図に示す処理は、例えば、発注者（眼鏡レンズ発注者）による入力部１５の操作により、発注端末１に発注画面の表示要求が入力されるとスタートする。
まず、発注端末１が発注画面を表示する（ステップＳ１）。この発注画面について図５から図１１を参照して説明する。
【００１８】
図５は、本実施形態における基礎情報入力画面１００の一例を示す概略図である。
基礎情報入力画面１００は、発注画面の基礎情報タブＴ１が選択されると表示される。図５において、レンズ情報項目１０１では、注文する眼鏡レンズの商品タイプ（例えば、遠近両用レンズ、室内用中近レンズ、単焦点レンズ等）、近視／遠視の強さであるＳ度数、乱視の強さであるＣ度数、乱視の発生している角度である軸度、及び累進屈折力レンズにおける遠くを見る度数と近くを見る度数の差である加入度などの眼鏡レンズ度数に関連する項目を入力する。加工指定情報項目１０２では、眼鏡レンズの外径や厚さ等を指定する。染色情報項目１０３では、眼鏡レンズの色を指定する。アイポイント情報項目１０４では、眼と眼鏡レンズの位置関係を入力する。
【００１９】
詳細設定項目１０５では、眼鏡レンズの設計に使用する光学性能を表わすグラフデータを選択し、その優先度を設定する。ここで、設定された数字が大きいほど優先度は高くなる。本実施形態では、光学性能を表わすグラフデータは、非点収差分布、コマ収差分布、度数・加入度分布及び歪み分布を含む。ここで選択された光学性能を表わすグラフデータを含む発注情報が受注装置２に送信される。図５に示す例では、非点収差分布及び度数・加入分布を選択している。また、度数・加入分布より非点収差分布の優先度が高く設定されている。
【００２０】
図６は、本実施形態における非点収差分布図入力画面２００の一例を示す概略図である。
非点収差分布図入力画面２００は、発注画面の非点収差タブＴ２が選択されると表示される。グラフ２０８には、眼鏡レンズの非点収差分布図又は非点収差の許容誤差量分布図を描く。非点収差分布図は、眼鏡レンズの非点収差の分布図である。非点収差の許容誤差量分布図は、非点収差分布図で設定された値の設計上の許容誤差量を表わす分布図である。
【００２１】
等高線作成ボタン２０１が押下されると、制御部１１は、グラフ２０８内に新規の等高線を作成するための曲線描画ツールを起動する。設定値項目２０２には、等高線作成ボタン２０１で作成する等高線の値を入力する。曲線描画ツールを起動すると、入力部１５のマウス等の操作により、等高線の形状を指定することができる。
【００２２】
等高線編集ボタン２０３が押下されると、制御部１１は、グラフ２０８内に描かれている既存の等高線を編集する機能を起動する。編集機能が起動すると、入力部１５のマウス等の操作により、等高線の形状を指定することができる。
【００２３】
表示モード項目２０５では、グラフ２０８内に非点収差分布図か、非点収差の許容誤差量分布図のどちらを表示するかを選択する。図６に示す例では、非点収差分布図が選択されている。表示径項目２０６には、グラフ２０８に表示する眼鏡レンズ２０９の直径を指定する。表示値間隔項目２０７には、隣接する等高線の値の差を指定する。
【００２４】
また、サンプルボタン２０４が押下されると、制御部１１は、図７に示す非点収差分布図のサンプル一覧を表示部１４に表示する。
【００２５】
図７は、本実施形態における非点収差分布図のサンプルの一例を示す概略図である。
本実施形態では、サンプル（Ａ），（Ｂ），（Ｃ）から編集する非点収差分布図を選択することができる。これら分布図のサンプルデータは、記憶部１２に記憶されている。サンプル（Ａ）の眼鏡レンズは、明視域を広くし収差を大きくしたタイプである。また、サンプル（Ｂ）の眼鏡レンズは、明視域と収差のバランスを取ったタイプである。また、サンプル（Ｃ）の眼鏡レンズは、明視域を狭くしレンズ全体の収差を小さくしたタイプである。
【００２６】
図８は、サンプル読み出し後の非点収差分布図入力画面２００の一例を示す概略図である。
制御部１１は、図７においてサンプルが選択されると、選択されたサンプルをグラフ２０８に表示する。図８に示す例では、サンプル（Ｂ）が選択されている。このとき、表示径項目２０６及び表示値間隔項目２０７の値は、呼び出されたサンプルに合わせて更新される。図８に示す例では、表示径項目２０６は４８ｍｍに、表示値間隔２０７は０．５に更新されている。表示されたサンプルは、等高線編集ボタン２０３を押下することにより編集することができる。ただし、予め設定された眼鏡レンズの設計限界内でのみ編集可能である。
【００２７】
図９は、サンプル編集後の非点収差分布図入力画面２００の一例を示す概略図である。
この図に示す例では、サンプル（Ｂ）を、装用時に使用頻度が低いと思われる斜め上方向の収差を大きくする代わりに、中心から左右２０ｍｍ以内で収差が１．５ディオプトリ以内になるように編集した。
【００２８】
図１０は、本実施形態における度数・加入分布図入力画面３００の一例を示す概略図である。
度数・加入分布図入力画面３００は、発注画面の度数・加入タブＴ４が選択されると表示される。グラフ３０８には、度数図、加入度分布図又は（度数又は加入度の）許容誤差量分布図を描く。度数図は、眼鏡レンズの度数の分布図である。なお、度数図は、眼鏡レンズの中心からの距離と度数の関係を表わすグラフであってもよい。加入度分布図は、眼鏡レンズの加入度の分布図である。加入度とは、遠くを見るための基準点の度数を０とした場合の相対度数である。ここで、度数・加入分布図入力画面３００において編集できる図は、度数図又は加入分布図のいずれかである。一例において、発注者は、眼鏡レンズの商品タイプが遠近両用レンズの場合には、加入度分布図を編集する。一方、眼鏡レンズの商品タイプが単焦点レンズの場合には、度数図を編集する。（度数又は加入度の）許容誤差量分布図は、度数図又は加入度分布図で設定された値の設計上の許容誤差量を表わす分布図である。
【００２９】
等高線作成ボタン３０１が押下されると、制御部１１は、グラフ３０８内に新規の等高線を作成するための曲線描画ツールを起動する。設定値項目３０２には、等高線作成ボタン３０１で作成する等高線の値を入力する。曲線描画ツールが起動すると、入力部１５のマウス等の操作により、等高線の形状を指定することができる。
【００３０】
等高線編集ボタン３０３が押下されると、制御部１１は、グラフ３０８内に描かれている既存の等高線を編集する機能を起動する。編集機能が起動すると、入力部１５のマウス等の操作により、等高線の形状を指定することができる。
サンプルボタン３０４が押下されると、制御部１１は、度数図又は加入度分布図のサンプルを表示する。表示された複数のサンプルから１つ選択されると、制御部１１は、選択したサンプルをグラフ３０８内に表示する。
【００３１】
表示モード項目３０５では、度数図、加入分布図又は（度数又は加入度の）許容誤差量分布図のいずれを表示するかを選択する。表示径項目３０６では、グラフ３０８に表示する眼鏡レンズ３１１の直径を指定する。表示値間隔項目３０７には、隣接する等高線の値の差を指定する。
【００３２】
図１１は、本実施形態における許容誤差量分布図の一例を示す概略図である。
図１０において、表示モード項目３０５にて「許容誤差量」が選択されると、制御部１１は、許容誤差量分布図を編集する画面を表示する。グラフ３０８には、加入度の許容誤差量分布図が表示されている。図１１に示す例では、眼鏡フレームに入ると想定される部分３０９の許容誤差量を０．１０以内にし、さらに視線真上方向の領域３１０の許容誤差量を０にしている。
【００３３】
なお、発注画面のコマ収差タブＴ３が選択されると、眼鏡レンズのコマ収差分布図を編集する画面が表示される。また、歪みタブＴ５が選択されると、眼鏡レンズの歪み分布図を編集する画面が表示される。また、発注画面における各分布図は、予め設定された眼鏡レンズの設計限界内でのみ編集可能である。
【００３４】
図４に戻り説明を続ける。
次に、発注端末１は、発注画面で入力された発注情報を取得する（ステップＳ２）。本例では、発注情報は、レンズ情報、加工指定情報、染色情報、アイポイント情報、詳細設定、非点収差分布図のグラフデータ、加入度分布図のグラフデータ及び加入度の許容誤差量分布図のグラフデータを含む。
【００３５】
図１２は、本実施形態における非点収差分布図のグラフデータのデータ構成及びデータ例を示す概略図である。
この図に示すように、グラフデータは行と列からなる２次元の表形式のデータである。ここで、眼鏡レンズの幾何学中心点を原点とし、所定の方向をＸ軸方向、Ｘ軸方向に直交する方向をＹ軸方向としてＸＹ座標系を定める。グラフデータの行はＸ座標値、列はＹ軸座標値を示す。非点収差分布図のグラフデータは、眼鏡レンズのＸＹ座標における非点収差値を示した表である。
【００３６】
発注端末１の制御部１１は、非点収差分布図入力画面２００の分布図に新規の等高線が作成されると、当該等高線の形状に対応する値をグラフデータに生成する。また、制御部１１は、非点収差分布図入力画面２００にて分布図の等高線が編集されると、グラフデータの当該等高線の形状に対応する値を変更する。なお、本実施例では、グラフ２０８に表示されている眼鏡レンズ２０９内のグラフデータは編集された値をそのまま数値化するが、眼鏡レンズ２０９外（等高線が描かれていない領域）のグラフデータは眼鏡レンズ２０９内の分布傾向から予測値を算出して数値化する。
【００３７】
図４に戻り説明を続ける。
次に、発注端末１は、取得した発注情報を受注装置２に送信する（ステップＳ３）。
【００３８】
受注装置２は、受信した発注情報に基づいて眼鏡レンズ設計を行う（ステップＳ４）。眼鏡レンズ設計の詳細について図１３を参照して説明する。
【００３９】
図１３は、本実施形態における眼鏡レンズ設計処理の処理手順を示すフローチャートである。
まず、ステップＳ１１では、制御部２１が、記憶部２２に予め記憶されたレンズ曲面形状群から、目標となる光学性能に最も近いレンズ曲面形状を選択し、その光学性能を求める。本実施形態では、目標となる光学性能は、発注端末１から受信した発注情報に含まれる光学性能を表わすグラフデータである。
次に、ステップＳ１２では、制御部２１が、選択したレンズの曲面形状を所定の規則に基づいて変化させ、その光学性能を求める。
次に、ステップＳ１３では、制御部２１が、形状変化前と形状変化後のレンズの光学性能を評価し、光学性能が目標となる光学性能に近いレンズを仮採用する。
次に、ステップＳ１４では、制御部２１が、終了条件を満たしたか否かを判定する。終了条件は、目標の光学性能分布まで一定以上近づいた、又は目標の光学性能分布にこれ以上近づけない状態になったである。終了条件を満たす場合には、ステップＳ１５へ進む。一方、終了条件を満たさない場合には、ステップＳ１２へ戻る。
次に、ステップ１５では、仮採用したレンズ曲面形状を採用して処理を終了する。
【００４０】
図４に戻り説明を続ける。
次に、受注装置２は、ステップＳ４で設計した眼鏡レンズを受注データとして確定する（ステップＳ５）。受注データが確定されると、眼鏡レンズの加工工場にて眼鏡レンズの製作が開始される。
【００４１】
このように、本実施形態によれば、発注端末１にて光学性能を表わすグラフを編集することができる。そして、発注端末１にて編集された光学性能を表わすグラフデータに基づいて眼鏡レンズが設計される。これにより、発注者が光学性能を表わすデータを任意に変更でき、発注者からの詳細な性能要求に応じた眼鏡レンズを発注することができる。
【００４２】
［第２の実施形態］
次に、この発明の第２の実施形態による眼鏡レンズ受発注システムについて説明する。本実施形態では、眼鏡レンズの製作前に、発注者が設計された眼鏡レンズの光学性能を確認することができる。
【００４３】
図１４は、本実施形態における受発注処理の手順を示すシーケンス図である。
まず、発注端末１が発注画面を表示する（ステップＳ２１）。次に、発注端末１は、発注画面で入力された発注情報を取得する（ステップＳ２２）。そして、発注端末１は、取得した発注情報を受注装置２に送信する（ステップＳ２３）。
【００４４】
受注装置２は、受信した発注情報に基づいて眼鏡レンズ設計を行う（ステップＳ２４）。そして、受注装置２は、設計した眼鏡レンズの光学性能を表わすグラフデータを発注端末１に送信する。
発注端末１は、表示部１４に受注した光学性能を表わすグラフを含む確認画面を表示する（ステップＳ２６）。発注者は、確認画面にて設計された眼鏡レンズの光学性能を表わすグラフを確認することができる。また、確認画面にて当該眼鏡レンズ設計で眼鏡レンズを製作するか否かを選択することができる。
【００４５】
次に、発注端末１は、確認画面にて眼鏡レンズを製作することが選択されたか否かを判定する（ステップＳ２７）。確認画面にて眼鏡レンズを製作することが選択されると、発注端末１は、受注装置２に眼鏡レンズ製作要求を送信する（ステップＳ２８）。一方、そうでない場合には、ステップＳ２１に戻る。
受注装置２には、眼鏡レンズ作成要求を受信すると、ステップＳ２４にて設計した眼鏡レンズを受注データとして確定する（ステップＳ２９）。
他の構成は第１の実施形態と同様なので説明を省略する。
【００４６】
このように、本実施形態によれば、設計された眼鏡レンズの光学性能を表わすグラフを発注端末１にて確認することができる。また、発注者の確認を得てから眼鏡レンズの製作が開始されるため、発注者の意図しない光学性能の眼鏡レンズが製作されるなどの不都合を防ぐことができる。
【００４７】
また、図４又は図１４に示す各ステップを実現するためのプログラムをコンピュータ読み取り可能な記録媒体に記録して、眼鏡レンズの発注処理又は眼鏡レンズの受注処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【００４９】
本発明の一実施形態において、眼鏡レンズ発注端末は、光学性能を表わすグラフデータを含む眼鏡レンズ発注情報を入力する入力手段と、前記光学性能を表わすグラフを表示する表示手段と、前記表示手段に表示されたグラフを編集する編集手段と、前記眼鏡レンズ発注情報を眼鏡レンズ受注装置に送信する送信手段と、を有する。換言すると、眼鏡レンズ発注端末は、眼鏡レンズの光学性能を表わすグラフに対応するグラフデータを含む第１情報を入力する入力手段と、前記グラフを表示する画面を有する表示手段と、前記画面に表示された前記グラフを編集する編集手段と、前記第１情報を受注装置に送信する送信手段と、を有する。
【００５０】
前記実施形態において、前記グラフは分布図であり、前記編集手段は、値の等しい領域の形状を表示グラフ上で指定する指定手段と、前記指定された形状の領域のグラフデータを生成する生成手段と、を有することができる。あるいは、前記実施形態において、前記グラフは分布図であり、前記編集手段は、値の等しい領域の形状を前記画面上で指定する指定手段と、前記指定された形状の領域に応じて前記グラフデータを変更する変更手段と、を有することができる。
【００５１】
前記実施形態において、前記編集手段は、前記領域の値を設定する設定手段をさらに有することができる。
【００５２】
前記実施形態において、前記眼鏡レンズ発注情報は、前記光学性能を表わすグラフデータの設計上の許容誤差を含むことができる。
【００５３】
前記実施形態において、発注端末は、光学性能を表わすグラフデータのサンプルを記憶するサンプル記憶手段をさらに有することができる。あるいは、発注端末は、グラフデータのサンプルデータを記憶するサンプル記憶手段をさらに有することができる。
【００５４】
前記実施形態において、発注端末は、眼鏡レンズの設計限界の情報を記憶する設計限界記憶手段をさらに有する。
【００５５】
前記実施形態において、前記編集手段は、眼鏡レンズの設計限界内でグラフを編集することができる。
【００５６】
前記実施形態において、発注端末は、前記眼鏡レンズ発注情報が眼鏡レンズの設計限界を超える場合に、警告を発する警告手段をさらに有することができる。
【００５７】
前記実施形態において、発注端末は、光学性能を表わすグラフデータの設計上の優先度を入力する優先度入力手段をさらに有することができる。
【００５８】
前記実施形態において、発注端末は、設計された眼鏡レンズの光学性能を表わすグラフデータを受信する受信手段と、前記受信した光学性能を表わすグラフを表示するグラフ表示手段と、前記表示された光学性能を表わすグラフの可否を入力する可否入力手段と、設計元に前記光学性能を表わすグラフの可否を応答する応答手段と、をさらに有することができる。換言すると、前記実施形態において、発注端末は、設計された眼鏡レンズの光学性能を表わす設計グラフに対応する設計グラフデータを受信する受信手段と、前記設計グラフを表示する設計グラフ表示手段と、前記表示された設計グラフの可否を入力する可否入力手段と、設計元に前記設計グラフの可否を応答する応答手段と、をさらに有することができる。
【００５９】
前記実施形態又は別の実施形態において、眼鏡レンズ受注装置は、眼鏡レンズの光学性能を表わすグラフに対応するグラフデータを含む第１情報を発注端末から受信する受信部と、前記受信した第１情報に基づいて眼鏡レンズを設計する設計部と、を有することができる。
【００６０】
この場合、受注装置は、設計された眼鏡レンズの光学性能を表わす設計グラフに対応する設計グラフデータを前記発注端末に送信する送信部をさらに有することができる。
【００６１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００６２】
例えば、本実施形態では、発注画面において眼鏡レンズの設計限界を超えて各分布図を編集できないようにしたが、眼鏡レンズの設計限界を超えたグラフデータを送信しようとした場合に、警告画面を表示して眼鏡レンズ発注者に警告をしてもよい。
【００６３】
また、光学性能を表す分布図は等高線とは限らず、収差が０以上０．５未満なら青色、収差が０．５以上１．０未満なら水色といったように、性能ごとに色分けした分布図であってもよい。
【符号の説明】
【００６４】
１…眼鏡レンズ発注端末  ２…眼鏡レンズ受注装置  １１…制御部  １２…記憶部  １３…通信部  １４…表示部  １５…入力部  ２１…制御部  ２２…記憶部  ２３…通信部  ２４…出力部  １００…基礎情報入力画面  ２００…非点収差分布図入力画  ３００…度数・加入分布図入力画面
【図１】
0005528342.tif 000002
【図２】
0005528342.tif 000003
【図３】
0005528342.tif 000004
【図４】
0005528342.tif 000005
【図５】
0005528342.tif 000006
【図６】
0005528342.tif 000007
【図７】
0005528342.tif 000008
【図８】
0005528342.tif 000009
【図９】
0005528342.tif 000010
【図１０】
0005528342.tif 000011
【図１１】
0005528342.tif 000012
【図１２】
0005528342.tif 000013
【図１３】
0005528342.tif 000014
【図１４】
0005528342.tif 000015